(57)【要約】【課題】構成が簡単で組み立て作業が容易であり貝殻を利用して渦流効果や陰影効果に優れた魚礁を容易且つ安価に製造する。【解決手段】コンクリート製の多角柱形状を有し内部が空洞２で且つ周面が稜線を柱３状に残して開口４したブロック本体１と、内部に貝殻を収容してブロック本体１内に挿入・固定される通水性の貝殻保持ケース６とからなる魚礁ブロック２００であって、貝殻保持ケース６は、開口４からブロック本体１内に挿入してブロック本体１に固定可能な多角形状の下部枠体７と、下部枠体７に嵌合して上部の開放口８から貝殻を充填するようにした通水籠９と、通水籠９の上部開放口８を覆う通水蓋１０とを有し、下部枠体７は、外側角部から外側へ突出し、ブロック本体１の側部柱３ａに嵌合して横方向への移動を拘束し且つブロック本体１の底部柱３ｂ上に載置して下方への移動を拘束する係止部材１２を有する。【選択図】図４
2011142856.tif 000002
【特許請求の範囲】
【請求項１】
コンクリート製の多角柱形状を有し、内部が空洞で且つ周面が稜線を柱状に残して開口したブロック本体と、内部に貝殻を収容して前記ブロック本体内に挿入・固定される通水性の貝殻保持ケースとからなる魚礁ブロックであって、
前記貝殻保持ケースは、前記空間からブロック本体内に挿入してブロック本体に固定可能な多角形状を有する下部枠体と、該下部枠体に嵌合して上部の開放口から貝殻を充填するようにした通水籠と、該通水籠の上部開放口を覆う通水蓋とを有し、
前記下部枠体は、多角形状の外側角部から外側へ突出し、前記ブロック本体の側部柱の内側角部に嵌合して下部枠体の横方向への移動を拘束すると共にブロック本体の底部柱上に載置して下部枠体の下方への移動を拘束するようにした係止部材を有することを特徴とする魚礁ブロック。
【請求項２】
前記下部枠体に、ブロック本体に当接して下部枠体の浮き上がりを防止するための枠体係止手段を有することを特徴とする請求項１に記載の魚礁ブロック。
【請求項３】
前記下部枠体に通水籠を固定して通水籠の浮き上がりを防止するための籠係止手段を有することを特徴とする請求項１に記載の魚礁ブロック。
【請求項４】
前記通水籠に通水蓋を固定して通水蓋の浮き上がりを防止するための蓋係止手段を有することを特徴とする請求項１に記載の魚礁ブロック。
【請求項５】
前記下部枠体と通水籠、及び通水籠と通水蓋が、ボルトにより固定又は固縛具により固縛又は溶接により固定されていることを特徴とする請求項１に記載の魚礁ブロック。
【請求項６】
前記通水籠に貝殻に代えて石を充填するようにしたことを特徴とする請求項１〜５に記載の魚礁ブロック。
【請求項７】
請求項１に記載の魚礁ブロックの製造方法であって、多角形状の下部枠体を傾斜させて開口からブロック本体の空洞内に挿入するステップと、下部枠体を水平に戻して外側角部の係止部材をブロック本体の側部柱の内側角部に嵌合させると共にブロック本体の底部柱上に載置させて下部枠体の横方向への移動と下方への移動を拘束するステップと、通水籠をブロック本体の開口から空洞内に挿入して下部枠体に嵌合設置するステップと、通水籠内に上部開放口から貝殻を供給して充填するステップと、上部開放口を通水蓋で覆うステップとからなることを特徴とする魚礁ブロックの製造方法。
【請求項８】
請求項１〜６に記載の魚礁ブロックを複数組み付けて構成したことを特徴とするピラミッド型魚礁。
【発明の詳細な説明】
【技術分野】
【０００１】
本発明は魚礁ブロック及びその製造方法並びにピラミッド型魚礁に関する。
【背景技術】
【０００２】
本出願人は従来から図１９〜図２１に示すようなピラミッド型魚礁１００を提供している。このピラミッド型魚礁１００は、コンクリート製の多角柱形状を有し内部が空洞２になっており且つ周面（６面）が稜線を柱３状に残して開口４を形成したブロック本体１を基本構成として組み立てられている。上記ブロック本体１は、多角柱形状の１つである正四面体とした場合を示しており、又、このような正四面体のブロック本体１と、正四面体を一直線に複数個（図示例では４個）連結した長ブロック本体１Ｌとを備えている。そして、長ブロック本体１Ｌを組み合わせて例えば平面矩形（ロの字状）の空間ａを有するようにした底部構造を形成し、その底部構造の上部に、前記正四面体のブロック本体１を組み合わせて固定することにより、内部及び周方向に所要の空間ａが形成されるようにしたピラミッド型魚礁１００を組み立てている。上記ピラミッド型魚礁１００を構成するブロック本体１と長ブロック本体１Ｌはクレーン等により吊り上げてボルト締結することにより組み立てられる。
【０００３】
コンクリート製の上記ブロック本体１及び長ブロック本体１Ｌは強度に優れており、従って、これらのブロック本体１及び長ブロック本体１Ｌを地上で組み合わせることで大型のピラミッド型魚礁１００を容易に製造することができ、製造したピラミッド型魚礁１００は台舶等により目的の海域まで搬送し、クレーン等により吊り降ろして海底に設置している。
【０００４】
前記ピラミッド型魚礁１００では、柱構造を持つブロック本体１及び長ブロック本体１Ｌが複雑な空間を提供し、陰影効果及び渦流効果により、メバル、イサキ、ヒラマサ、ヒラメ等の有用魚種が蝟集する、又、ブロック表面にはゴカイ、アミ、エビ、カニ等の多毛類、小型の甲殻類等の幼生が付着して微小動物が生息するようになることで、上記魚類の稚魚未生魚が蝟集することから、有用魚種の稚魚等の育成場として重要な機能を発揮するようになるという利点がある。又、人工魚礁に貝殻を利用した場合には、表面積及び内部空間が大きくなり、更に複雑な空間を提供することができ、ゴカイ、アミ、エビ、カニ等の多毛類、小型の甲殻類等の付着動物が生息しやすくなり、人工魚礁の効果が早期に発現されるという利点がある。
【０００５】
一方、例えばホタテ、牡蠣、あこや貝等の貝類を生産している地域では、これらの貝類を加工する際に大量の貝殻が廃棄物として発生し、これらの貝殻は単に山積みされておりその処理に苦慮しているのが現状である。
【０００６】
そこで、このような貝殻を利用した人工魚礁を構成することが種々提案されている。例えば、筒状の通水性ネット或いはケースに貝殻を充填し、貝殻を充填した多数のネット或いはケースを鋼製等の構造物内に収容するようにしたもの（特許文献１、２等参照）、或いは矩形の通水性ケースに貝殻を充填したものを鋼製等の構造物に取り付けるようにしたもの（特許文献３参照）がある。
【先行技術文献】
【特許文献】
【０００７】
【特許文献１】特開２００２−２３３２６５号公報
【特許文献２】特開平０９−１６３８９４号公報
【特許文献３】特開２００１−３４６４７６号公報
【発明の概要】
【発明が解決しようとする課題】
【０００８】
しかしながら、従来の貝殻を利用した人工魚礁は、貝殻を収容したネットやケースを鋼製の構造物内に収容したり構造物に取り付けるようにした方式であるため、貝殻を充填したネットやケースは作業者が持ち運べる小さい容量とする必要があり、しかもこのようなネットやケースに貝殻を充填する作業は手作業で行う必要があり、従って、多数のネットやケースに貝殻を充填する作業が非常に大変であるという問題があり、更に、貝殻を充填した多数の貝殻収容体を鋼製の構造物に収納したり取り付ける作業も非常に大変となり、そのために、貝殻を利用した人工魚礁の製造には時間が掛り、製造コストが増加するという問題を有していた。
【０００９】
又、大型の人工魚礁を製造する際には、貝殻を充填した膨大な数のネットやケースを用意する必要があり、且つこのネットやケースを支持するための鋼製の構造物には大きな機械的強度が要求され、更に、渦流効果や陰影効果を考慮した場合には、鋼製の構造物の形状構造が複雑になる上に機械的強度を更に増加する必要があるために、製造コストが大幅に増加するという問題を有していた。
【００１０】
本発明は上記従来の問題点に鑑みてなしたもので、構成が簡単で組み立て作業が容易であり、貝殻を利用して渦流効果及び陰影効果に優れた魚礁を容易且つ安価に製造できる魚礁ブロック及びその製造方法並びにピラミッド型魚礁を提供することにある。
【課題を解決するための手段】
【００１１】
請求項１に係る発明は、コンクリート製の多角柱形状を有し、内部が空洞で且つ周面が稜線を柱状に残して開口したブロック本体と、内部に貝殻を収容して前記ブロック本体内に挿入・固定される通水性の貝殻保持ケースとからなる魚礁ブロックであって、
前記貝殻保持ケースは、前記空間からブロック本体内に挿入してブロック本体に固定可能な多角形状を有する下部枠体と、該下部枠体に嵌合して上部の開放口から貝殻を充填するようにした通水籠と、該通水籠の上部開放口を覆う通水蓋とを有し、
前記下部枠体は、多角形状の外側角部から外側へ突出し、前記ブロック本体の側部柱の内側角部に嵌合して下部枠体の横方向への移動を拘束すると共にブロック本体の底部柱上に載置して下部枠体の下方への移動を拘束するようにした係止部材を有することを特徴とする魚礁ブロックである。
【００１２】
請求項２に係る発明は、前記下部枠体に、ブロック本体に当接して下部枠体の浮き上がりを防止するための枠体係止手段を有することを特徴とする請求項１に記載の魚礁ブロックである。
【００１３】
請求項３に係る発明は、前記下部枠体に通水籠を固定して通水籠の浮き上がりを防止するための籠係止手段を有することを特徴とする請求項１に記載の魚礁ブロックである。
【００１４】
請求項４に係る発明は、前記通水籠に通水蓋を固定して通水蓋の浮き上がりを防止するための蓋係止手段を有することを特徴とする請求項１に記載の魚礁ブロックである。
【００１５】
請求項５に係る発明は、前記下部枠体と通水籠、及び通水籠と通水蓋が、ボルトにより固定又は固縛具により固縛又は溶接により固定されていることを特徴とする請求項１に記載の魚礁ブロックである。
【００１６】
請求項６に係る発明は、前記通水籠に貝殻に代えて石を充填するようにしたことを特徴とする請求項１〜５に記載の魚礁ブロックである。
【００１７】
請求項７に係る発明は、請求項１に記載の魚礁ブロックの製造方法であって、多角形状の下部枠体を傾斜させて開口からブロック本体の空洞内に挿入するステップと、下部枠体を水平に戻して外側角部の係止部材をブロック本体の側部柱の内側角部に嵌合させると共にブロック本体の底部柱上に載置させて下部枠体の横方向への移動と下方への移動を拘束するステップと、通水籠をブロック本体の開口から空洞内に挿入して下部枠体に嵌合設置するステップと、通水籠内に上部開放口から貝殻を供給して充填するステップと、上部開放口を通水蓋で覆うステップとからなることを特徴とする魚礁ブロックの製造方法である。
【００１８】
請求項８に係る発明は、請求項１〜６に記載の魚礁ブロックを複数組み付けて構成したことを特徴とするピラミッド型魚礁である。
【発明の効果】
【００１９】
本発明では、多角形状の下部枠体を傾斜させて開口からブロック本体の空洞内に挿入すし、下部枠体を水平に戻してコーナ部の係止部材をブロック本体の側部柱の内側に嵌合させると共にブロック本体の底部柱上に載置させて下部枠体の横方向への移動と下方への移動を拘束し、通水籠をブロック本体の開口から空洞内に挿入して下部枠体に嵌合設置し、通水籠内に上部開放口から貝殻を供給して充填し、上部開放口を通水蓋で覆うようにしたので、ブロック本体に貝殻保持ケースを取り付けて設置する作業が非常に容易になると共に、ブロック本体の柱形状を利用して貝殻保持ケースの移動を確実に拘束して支持することができ、更に、通水籠内に貝殻を供給して充填する作業は容易であり、従って、魚礁ブロックを容易且つ安価に製造することができ、よって貝殻を用いた魚礁ブロックの利用が促進されるという優れた効果を奏し得る。
【００２０】
更に、上記魚礁ブロックを複数組み付けることにより、機械的強度を有し且つ渦流効果や陰影効果を有する大型のピラミッド型魚礁を容易に製造できる効果がある。
【図面の簡単な説明】
【００２１】
【図１】本発明の魚礁ブロックを構成するブロック本体の一例を示す正面図である。
【図２】図１のＩＩ−ＩＩ方向矢視図である。
【図３】図１のブロック本体内に挿入設置して本発明の魚礁ブロックを構成する通水性の貝殻保持ケースの一例を示す正面図である。
【図４】図３をＩＶ−ＩＶ方向から見た平面図である。
【図５】貝殻保持ケースを構成する下部枠体の一例を示す正面図である。
【図６】図５の平面図である。
【図７】枠体係止手段の他の例を示す説明図である。
【図８】貝殻保持ケースを構成する通水籠の一例を示す正面図である。
【図９】図８の平面図である。
【図１０】貝殻保持ケースを構成する通水蓋の一例を示す平面図である。
【図１１】蓋体係止手段の一例を示す説明図である。
【図１２】ブロック本体内に下部枠体を挿入する状態を示す正面図である。
【図１３】ブロック本体内に挿入した下部枠体を水平に戻してＬ字形の係止部材をブロック本体の側部柱に嵌合させて設置する状態を示す正面図である。
【図１４】通水籠を挿入して下部枠体上に設置する状態を示す正面図である。
【図１５】通水籠が下部枠体上に設置された状態を示す正面図である。
【図１６】通水籠内に貝殻を充填する状態を示す正面図である。
【図１７】通水蓋を挿入して通水籠上に設置することにより魚礁ブロックを構成した状態を示す正面図である。
【図１８】本発明の魚礁ブロックの他の実施例を示す正面図である。
【図１９】（ａ）は通水籠の他の構成例を示す網の斜視図、（ｂ）は通水籠に網を挿入した状態を示す正面図である。
【図２０】本出願人が既に提供しているピラミッド型魚礁の一例を示す斜視図である。
【図２１】図２０をＸＸＩ−ＸＸＩ方向から見た矢視図である。
【図２２】図２０をＸＸＩＩ−ＸＸＩＩ方向から見た矢視図である。
【発明を実施するための形態】
【００２２】
以下、本発明の実施の形態を図示例と共に説明する。
【００２３】
図１は本発明の魚礁ブロックを構成するブロック本体の一例を示す断面図、図２は図１のＩＩ−ＩＩ方向矢視図であり、このブロック本体１は、コンクリートにより多角柱形状の１つである正四面体を形成しており、内部が空洞２となっており且つ周面（６面）が稜線を柱３状に残して開口４を形成している。図１のブロック本体１は、例えば一辺が１．５メートルの長さとなっており、上下の開口４は図２に示すように四角形を有し、四周の開口４には図１に示すように四隅部に各柱３の断面積を大きくして強度を高めたハンチ５（斜面）が形成されている。又、前記ブロック本体１の各柱３は図２に示すように、ブロック本体１をコンクリート打設して製造する際の型抜けを良くするために空間４は外側に向かって広がっており、従って柱３の断面は内側角部が鋭角になっている。尚、柱３の断面は矩形（直角）になっていてもよい。
【００２４】
図３は前記ブロック本体１内に挿入して設置することにより本発明の魚礁ブロック２００を構成する通水性（透水性）の貝殻保持ケース６の一例を示す正面図、図４は図３をＩＶ−ＩＶ方向から見た平面図である。
【００２５】
貝殻保持ケース６は、前記空間４からブロック本体１内に挿入してブロック本体１に固定可能な四角形の下部枠体７と、該下部枠体７に嵌合して上部の開放口８から貝殻を充填するようにした通水籠９と、該通水籠９の上部開放口８を覆うように固定される通水蓋１０とにより構成されている。
【００２６】
前記下部枠体７は、図３、図４及び図５、図６に示すように、外側の立上り部１１ａと内側の水平部１１ｂを有するＬ形アングル材によって前記空間４より小さい四角形に形成したアングル枠１１を有しており、該アングル枠１１の４つの外側角部には、平面Ｌ字形を有して外側に突出し図４に示すようにブロック本体１の側部柱３ａの内側角部に嵌合するようにした係止部材１２を設けている。この係止部材１２はＬ形アングル材にて形成されており、Ｌ形アングル材の一辺で形成されるＬ字形が図４に示すように側部柱３ａの内側角部に嵌合することで下部枠体７がブロック本体１に対して横方向へ移動できないように拘束されており、又、Ｌ形アングル材の他辺が図３に示すように前記側部柱３ａと底部柱３ｂとの境に形成されたハンチ５に当接することで、下部枠体７が下方へ移動できないように拘束されている。
【００２７】
又、図５、図６に示すように、前記アングル枠１１の前後の中間位置と左右の中間位置にはＬ形アングル材からなる補強材１３が十字状に且つアングル枠１１の外側に張り出して設けてあり、更に、前記アングル枠１１の水平部１１ｂ上及び前記補強材１３上には丸棒等からなる複数の網支持材１４が所要の間隔で交差して固定されており、更に、網支持材１４上にはプラスチック網或いは金属網からなる底部網１５が固定されている。更に、前記十字状の補強材１３における夫々の端部には、図２示すように下端が底部柱３ｂの上面に当接するようにしたスペーサ１６を固定して荷重を受けるようになっている。上記下部枠体７は、溶接等によって一体に組み立てることができる。
【００２８】
更に、前記Ｌ字形の係止部材１２の上面には、上側に突出した開口１７付きの板１８が固定されていると共に、前記開口１７に螺合するボルト１９（図４）が設けてあり、前記ボルト１９の先端をブロック本体１の側部柱３ａの内側角部に当接させることで下部枠体７の浮き上がりを防止する枠体係止手段２０を構成している。この枠体係止手段２０は他の例を示す図７のような構成を有していてもよい。図７の枠体係止手段２０は、前記係止部材１２の上面に、上端が破線で示すように側部柱３ａ側に張り出すように固定したバネ板１８ａを設けている。図７の枠体係止手段２０においては、下部枠体７をブロック本体１内に設置する際には破線で示すバネ板１８ａが実線で示すように下部枠体７側に押し曲げられた状態となっており、下部枠体７が上方へ浮き上がろうとすると、バネ板１８ａの先端がバネ力によって側部柱３ａの内側角部に押付けられていることでストッパの作用を発揮するようになっている。
【００２９】
図８は前記通水籠９の正面図、図９は図８の平面図であり、通水籠９は、Ｌ形アングル材によって四角形に形成された上部アングル枠２１と、該上部アングル枠２１のコーナ部から所要の長さで下側に延びるように固定したＬ形アングル材からなるコーナ部材２２と、前記上部アングル枠２１及びコーナ部材２２の内側に丸棒等を所要の間隔で交差して固定した網支持材２３と、該網支持材２３の内側の四周に固定したプラスチック網或いは金属網からなる側部網２４とから構成されており、前記通水籠９は、図５の下部枠体７におけるアングル枠１１の立上り部１１ａの内側に丁度嵌合する大きさとなっている。上記通水籠９は、金具や線材等の固縛材等によって一体に組み立てることができる。
【００３０】
又、上記実施例においては、下部枠体７に底部網１５を設け、通水籠９の四周に側部網２４を設けるようにした場合について例示したが、下部枠体７に底部網１５を設けることなく、通水籠９に上部が開放口８となった容器状の網を設けるようにしてもよい。
【００３１】
又、前記通水籠９のコーナ部材２２の下端と図５の下部枠体７の立上り部１１ａの対応する位置にはボルト孔２５が設けてあり、該ボルト孔２５にボルト２６（図４）を通して固定することにより、通水籠９の浮き上がりを防止するようにした籠係止手段２７を設けている。
【００３２】
図１０は前記通水籠９の上部の開放口８を覆うように設けられる通水蓋１０の平面図であり、通水蓋１０は、丸棒等により四角形に形成された内部に更に丸棒等を所要の間隔で交差するよう固定した網支持材２８を設け、該網支持材２８にプラスチック網或いは金属網からなる上部網２９を一体に固定している。上記通水蓋１０は、溶接等によって一体に組み立てることができる。
【００３３】
又、図９に示すように、前記通水籠９の上部アングル枠２１のコーナ部と中間部における前記図１０の通水蓋１０の網支持材２８が対応する位置にはボルト孔３０が設けてあり、図１１に示すように網支持材２８に掛けた固定具３１の開口（図示せず）を前記ボルト孔３０に一致させボルト３２を通して固定することにより、通水蓋１０の浮き上がりを防止するようにした蓋係止手段３３を設けている。又、通水蓋１０の浮き上がりを防止するためには金具や線材等の固縛材を用いた固縛或いは溶接による固定としてもよい。
【００３４】
以下に上記実施例の作用を説明する。
【００３５】
図１２〜図１７は本発明の魚礁ブロック２００を製造する方法のステップを示している。
【００３６】
図１２は下部枠体７をブロック本体１に挿入する状態を示している。下部枠体７はブロック本体１内に係止させて移動を拘束するための係止部材１２を外側角部に突出して設けているために、開口４の左右、上下間隔よりも大きくなっている。このため、下部枠体７は開口４の対角位置を向くように傾斜させることで開口４から空洞２内に挿入することができる。
【００３７】
続いて、図１３に示すように、空洞２内に挿入した下部枠体７を水平に戻して外側角部に設けたＬ字形の係止部材１２をブロック本体１の側部柱３ａの内側角部に嵌合させると共にブロック本体１のハンチ５及び底部柱３ｂ上に載置させる。これにより、下部枠体７は横方向への移動と下方への移動が拘束される。このとき、図４に示すように、枠体係止手段２０を構成する板１８の開口１７にボルト１９を螺合して該ボルト１９の先端をブロック本体１の側部柱３ａの内側角部に当接させることにより、下部枠体７の浮き上がりを防止する。
【００３８】
続いて、図１４に示すように上部の開口４又は四周方向の開口４から通水籠９をブロック本体１の空洞２内に挿入し、図１５に示すように、通水籠９を下部枠体７のアングル枠１１の内側に嵌合設置する。このとき、籠係止手段２７を構成する通水籠９のコーナ部材２２の下端と前記下部枠体７の立上り部１１ａが一致する位置に設けられたボルト孔２５にボルト２６（図４）を通して固定することにより、通水籠９の浮き上がりを防止する。  続いて、図１６に示すように、ホイールローダやショベルカー等の積込み機械Ａを用いて上部開放口８から通水籠９内に貝殻Ｂを供給して充填する。
【００３９】
続いて、図１７に示すように上部の開口４又は四周方向の開口４から通水蓋１０をブロック本体１の空洞２内に挿入し、通水蓋１０を前記通水籠９の開放口８を覆うように設置する。このとき、図１１の蓋係止手段３３を構成する固定具３１を網支持材２８に掛け、固定具３１の開口（図示せず）を通水籠９の上部アングル枠２１に設けたボルト孔３０（図９）に一致させてボルト３２を通して固定することにより、通水蓋１０の浮き上がりを防止する。これにより本発明の魚礁ブロック２００が構成される。
【００４０】
尚、前記したような籠係止手段２７及び蓋係止手段３３を設けることなしに、前記下部枠体７と通水籠９を溶接によって一体に固定し、通水籠９と通水蓋１０とを溶接によって一体に固定するようにしてもよい。
【００４１】
図１８は本発明の他の実施例を示したもので、ブロック本体１の空洞２内に２段の貝殻保持ケース６，６’を備えた場合を示している。図１８のようにブロック本体１内に２段の貝殻保持ケース６，６’を設置する場合には、先ず、前記と同様に下部枠体７を傾斜させて開口４から空洞２内に挿入し、続いて、下部枠体７を水平に戻して外側角部に設けたＬ字形の係止部材１２をブロック本体１の側部柱３ａの内側角部に嵌合させるようにして設置する。続いて、下部枠体７’を同様に傾斜させて開口４から空洞２内に挿入し、水平に戻した後、この下部枠体７’は上側に吊り上げてブロック本体１の内側上部に仮止めしておく。この状態で、前記と同様に通水籠９をブロック本体１内に挿入して前記下部枠体７に嵌合させると共に固定し、図１６のように積込み機械Ａを用いて通水籠９内に貝殻Ｂを供給して充填し、更に、通水蓋１０をブロック本体１内に挿入して通水籠９上に載置して固定することにより貝殻保持ケース６を構成する。次に、前記仮止めした下部枠体７’吊り降ろし、スペーサ１６’を介して下部枠体７’を貝殻保持ケース６上に載置した後、通水籠９’を挿入して下部枠体７’上に固定し、図１６のように積込み機械Ａを用いて通水籠９’内に貝殻Ｂを供給して充填し、更に、通水蓋１０’を挿入して通水籠９’上に固定することにより貝殻保持ケース６’を構成する。これによって、ブロック本体１の空洞２内に複数段の貝殻保持ケース６，６’を備えた魚礁ブロック２００を構成することができる。
【００４２】
図１９（ａ）、（ｂ）は前記通水籠９の他の構成例を示すものであり、図１５に示すようにブロック本体１の空洞２内に挿入した通水籠９を下部枠体７のアングル枠１１の内側に嵌合設置した状態において、通水籠９の矩形内部空間の一辺と略同一の幅を有するプラスチック製の可撓性を有する網を所要の長さに切断し、切断した１つの網３４ａを図１９（ａ）に示すようにＵ字状に曲げて図１９（ｂ）の通水籠９内に挿入し、続いてもう１つの網３４ｂをＵ字状に曲げて前記網３４ａと９０゜異なる方向に挿入する。これにより、図１９（ｂ）の通水籠９の底面と四周面は網３４ａ，３４ｂによって覆われた状態となる。このとき、通水籠９に挿入した網３４ａ，３４ｂの両端は折曲げることで通水籠９の上面を覆うことができる長さに予め切断されている。
【００４３】
従って、図１９（ｂ）のように通水籠９内に網３４ａ，３４ｂを挿入した状態で貝殻を通水籠９の高さと同等程度になるように充填した後、他方の網３４ｂの前後の両端を通水籠９の上面に折曲げて倒し、続いて、一方の網の左右の両端を二点鎖線で示すようにその上に曲げて倒してその両端を金具や線材等の固縛材３５で固縛する。これにより、貝殻は網３４ａ，３４ｂによって包み込まれた状態となって浮き上がりが防止される。
【００４４】
尚、上記各実施例で示したブロック本体１は四角柱の柱構造とした場合を例示したが、これ以外に、三角柱、或いは六角柱等の柱構造を有していてもよく、この場合には貝殻保持ケース６，６’もブロック本体１に対応するように三角形、或いは六角形とする。
【００４５】
上記したブロック本体１はコンクリート打設することで量産することができ、又、貝殻保持ケース６，６’を構成する下部枠体７，７’と、通水籠９，９’と、通水蓋１０，１０’も同一寸法のものを量産することができる。
【００４６】
又、上記した魚礁ブロック２００は複数個組み付けることによって図１９に示したようなピラミッド型魚礁１００を構成することができ、これによって貝殻が充填された貝殻保持ケース６，６’を有するピラミッド型魚礁１００を安価に製造できると共に、貝殻による海藻類の付着生長が促進されると共に、渦流効果及び陰影効果に優れたピラミッド型魚礁１００を提供できるようになる。
【００４７】
尚、本発明の魚礁ブロック及びその製造方法並びにピラミッド型魚礁は、上述の実施例にのみ限定されるものではなく、本発明の要旨を逸脱しない範囲内において種々変更を加え得ることは勿論である。
【符号の説明】
【００４８】
１  ブロック本体
１Ｌ        長ブロック本体
２  空洞
３  柱
３ａ        側部柱
３ｂ        底部柱
４  開口
６  貝殻保持ケース
６’        貝殻保持ケース
７  下部枠体
７’        下部枠体
８  開放口
９  通水籠
９’        通水籠
１０  通水蓋
１０’        通水蓋
１２  係止部材
２０  枠体係止手段
２７  籠係止手段
３３  蓋係止手段
１００  ピラミッド型魚礁
２００  魚礁ブロック
Ｂ      貝殻
【図１】
2011142856.tif 000003
【図２】
2011142856.tif 000004
【図３】
2011142856.tif 000005
【図４】
2011142856.tif 000006
【図５】
2011142856.tif 000007
【図６】
2011142856.tif 000008
【図７】
2011142856.tif 000009
【図８】
2011142856.tif 000010
【図９】
2011142856.tif 000011
【図１０】
2011142856.tif 000012
【図１１】
2011142856.tif 000013
【図１２】
2011142856.tif 000014
【図１３】
2011142856.tif 000015
【図１４】
2011142856.tif 000016
【図１５】
2011142856.tif 000017
【図１６】
2011142856.tif 000018
【図１７】
2011142856.tif 000019
【図１８】
2011142856.tif 000020
【図１９】
2011142856.tif 000021
【図２０】
2011142856.tif 000022
【図２１】
2011142856.tif 000023
【図２２】
2011142856.tif 000024